(57)【要約】      （修正有）【課題】必要に応じてバッテリー容量を増減可能な拡充式モバイル電源装置を提供する。【解決手段】電源制御モジュール１及びバッテリーユニット２、３、４、５から構成し、電源制御モジュールには、充電制御回路などを収容すると共に、スイッチボタン１２４、作動状態インジケーターユニット１２５、第一接続ポートを備える。また、バッテリーユニットは、バッテリーを収容して前記電源制御モジュールの第一接続ポートに接続する第二接続ポート２５、さらに重ね合わされる他のバッテリーユニットの第二接続ポートに接続する第三接続ポート２６を備え、電源制御モジュールをバッテリーユニットに重ね合わせて結合する。さらに、その第一接続ポート１２６をバッテリーユニットの第二接続ポート２５に接続し、さらに他のバッテリーユニットを同様にして重ね合わせて結合する。【選択図】図５
0003176456.tif 000002
【実用新案登録請求の範囲】
【請求項１】
電源制御モジュール、及び１個以上の単一のバッテリーユニットからなり、
前記電源制御モジュールは、その殼体内に回路板を設置し、
該回路板上には、充電制御回路、電源昇／降圧転換回路、電源管理回路、スイッチボタン、作動状態インジケーターユニット、第一接続ポート、電源入力ポート、電源出力ポートを設置すると共に前記殼体のバッテリーユニットに相対する面には、定位孔及び係合孔を設置し、
前記単一のバッテリーユニットは、その殼体上に重ねられる電源制御モジュール又は他のバッテリーユニットに相対する面に、これら電源モジュール又はバッテリーユニットを重ねる収容設置空間を設け、
該単一のバッテリーユニットには、コントローラー、バッテリー、前記電源制御モジュールの第一接続ポートに接続する第二接続ポート、さらに重ね合わされる他のバッテリーユニットの第二接続ポートに接続する第三接続ポートを備え、
該コントローラーと該バッテリー、該第二接続ポート及び該第三接続ポートとは電気的に接続し、該第二接続ポートを上記電源制御モジュール又は重ね合わされる他のバッテリーユニットに相対する殼体の上記収容設置空間上に設置し、
該第三接続ポートは、該殼体の収容設置空間の片側に設置し、
該単一のバッテリーユニットは、該殼体の電源制御モジュール又は重ね合わされる他のバッテリーユニットに相対する収容設置空間上に、定位ブロック及び係合フックを設置すると共に、その反対面には、重ね合わされる他のバッテリーユニットの該定位ブロック及び該係合フック位置に対応して定位孔及び係合孔を設置し、
前記電源制御モジュールを単一のバッテリーユニットに重ねてその収容空間にスライドさせて収容させることにより、その定位孔及び係合孔をそれぞれバッテリーユニットの定位ブロック及び係合フックに係合して結合させ、電源制御モジュールの第一接続ポートと単一のバッテリーユニットの第二接続ポートとを接続させ、さらに他のバッテリーユニットを重ねて同様に結合すると共にその第三接続ポートを該他のバッテリーユニットの第三接続ポートを接続させることにより、一以上のバッテリーユニットを重ねて結合することを可能としたことを特徴とする拡充式モバイル電源装置。
【請求項２】
前記電源制御モジュールの電源入力ポートと充電制御回路とは電気的に接続し、
該充電制御回路、該昇／降圧転換回路、該電源管理回路間は、回路接続を構成し、
該電源管理回路と該スイッチボタン及び該作動状態インジケーターユニットとは電気的接続を構成し、
該電源昇／降圧転換回路と該電源出力ポート、該第一接続ポートとは電気的接続を構成したことを特徴とする請求項１に記載の拡充式モバイル電源装置。
【請求項３】
前記電源制御モジュール内の回路板のスイッチボタン、作動状態インジケーターユニット、第一接続ポート、電源入力ポート及び電源出力ポートは、該電源制御モジュールの殼体外に露出させて、
外部から電源接続し、押釦操作し、或いは目視することができるようにしたことを特徴とする請求項１に記載の拡充式モバイル電源装置。
【請求項４】
前記電源制御モジュールの電源入力ポートには、アダプター(Adapter)の端子を接続し、直流電力を、該電源制御モジュールに入力し、
該電源制御モジュールの電源出力ポートは、充電或いは給電が必要なポータブルデジタル機器の給電端と接続し、充電或いは給電を行うことを特徴とする請求項１に記載の拡充式モバイル電源装置。
【請求項５】
前記電源制御モジュールの第一接続ポート及びこれに重ね合わされる単一のバッテリーユニットの第三接続ポートを、該殼体背面に設置し、
これにより、該電源制御モジュールと該単一のバッテリーユニット及び他の単一のバッテリーユニットとは、上下に重なる方式で組み合わされたことを特徴とする請求項１に記載の拡充式モバイル電源装置。
【考案の詳細な説明】
【技術分野】
【０００１】
本考案は、拡充式モバイル電源装置に関し、特にバックアップ及び充／放電に便利な携帯装置で、使用ニーズに基づき、総バッテリー容量を増加或いは減少させることができ、伝送ポートを通して、ポータブルデジタル機器に、充電或いは給電可能な拡充式モバイル電源装置に関する。
【背景技術】
【０００２】
携帯電話端末、ノート型コンピューター、デジタルカメラ、音楽プレーヤー等のポータブルデジタル機器はどれも、充／放電バッテリーを用いて、使用時の電源としている。
【０００３】
一般に、ポータブルデジタル機器に使用するバッテリーに対して充電を行う時には、配備する充電器を通して、商用交流電源を一定の電圧レベルに転換して行う。
しかし、商用交流電源を得ることができない環境下では、充電上の困難を招き、或いは該ポータブル機器の使用を中断しなければならないという状況が発生する。
【０００４】
よって、随時携帯可能な充電装置が市販されている。
該ポータブル電源装置により、使用者は商用交流電源がない環境においても、ポータブルデジタル機器に対して充電或いは給電することができる。
【０００５】
従来のポータブル電源装置は、充電バッテリー及び制御回路からなり、ケーシング中に一緒に収納される。
それらは、総バッテリー容量の大きさに応じて、製品として分類される。
容量が小さいポータブル電源装置製品は、軽量でコンパクトという長所を備えるが、使用時間が短いという欠点が存在する。
大容量のポータブル電源装置製品は、大きくて重く、携帯に不便であり、しかも充電バッテリーには、使用年限及び回数の制限があるため、ポータブル電源装置の性能が低下、或いは損壊した時には、全体を廃棄せざるを得ない。
本考案は従来のポータブル電源装置の上記した欠点に鑑みてなされたものである。
【先行技術文献】
【特許文献】
【０００６】
【特許文献１】特開２００９−１２３１７７号公報
【考案の概要】
【考案が解決しようとする課題】
【０００７】
本考案が解決しようとする課題は、使用者のバッテリー容量に対するニーズに基づき、バッテリーユニットを結合する方法で、総バッテリー容量を必要に応じて増加或いは減少させることができ、また携帯時の体積及び重量を調整でき、必要時には、バッテリーユニットを新しくするだけで、ポータブル電源装置の性能を上げることができ、資源の浪費を減らせる拡充式モバイル電源装置を提供することである。
【課題を解決するための手段】
【０００８】
上記課題を解決するため、本考案は下記の拡充式モバイル電源装置を提供する。
拡充式モバイル電源装置は、電源制御モジュール及び１個或いは１個以上のバッテリーユニットからなり、バッテリー容量拡大の目的を達成し、
該電源制御モジュール内には、回路制御板、作動状態インジケーターユニット、第一接続ポート、電源入力ポート、電源出力ポートを備え、
単一のバッテリーユニット内には、コントローラー、バッテリー、第二接続ポート及び第三接続ポートを備え、
該制御モジュールを、該バッテリーユニットと連結し通電させると、該制御モジュールの電源入力ポートにより、該バッテリーユニットに充電され、バックアップ電力が蓄えられ、
必要に応じて、該制御モジュールの電源出力ポートにより電力を出力し、電力を必要とするポータブルデジタル機器に給電し、
該制御モジュールは、１個或いは数個のバッテリーユニットに充電でき、充電完了後は、取り付け及び取り外しが容易で、これにより１個或いは数個のバッテリーユニットを選択して使用できる。
バッテリーには循環寿命の問題があるが、単一のバッテリーユニットに損壊が発生した場合でも全体を交換する必要はなく、損壊したバッテリーユニットを取り外して補充、或いは交換するだけでよいため、購入コストを大幅に引き下げられ、また環境に配慮した使用形態とすることができる。
【考案の効果】
【０００９】
本考案の拡充式モバイル電源装置は、使用者のバッテリー容量に対するニーズに基づき、バッテリーユニットを結合する方法で、総バッテリー容量をフレキシブルに増加或いは減少させることができ、また携帯時の体積及び重量を調整でき、必要時には、バッテリーユニットを新しくするだけで、ポータブル電源装置の性能を上げることができ、資源の浪費を減らすことができる。
【図面の簡単な説明】
【００１０】
【図１】本考案単一のバッテリーユニットの俯視、及び主要構成部品の模式図である。
【図２】本考案電源制御モジュールの俯視、及び主要構成部品の模式図である。
【図３】本考案電源制御モジュールと単一のバッテリーユニットとを相互に組合せた様子を示す立体図である。
【図４】本考案電源制御モジュールと単一のバッテリーユニットとを相互に組合せた様子を示す側視図である。
【図５】本考案電源制御モジュールと複数の単一のバッテリーユニットとを相互に組合せた様子を示す分解立体図である。
【図６】本考案電源制御モジュールと複数の単一のバッテリーユニットとを相互に組合せた様子を示す立体図である。
【図７】本考案電源制御モジュールと複数の単一のバッテリーユニットとを相互に組合せた様子を示す別の視角からの立体図である。
【図８】本考案電源制御モジュールと単一のバッテリーユニットとを相互に重ねて組合せた様子を示す分解立体図である。
【図９】本考案電源制御モジュールと単一のバッテリーユニットとを相互に重ねて組合せた様子を示す別の視角からの分解立体図である。
【図１０】本考案電源制御モジュールと複数の単一のバッテリーユニットとを相互に重ねて組合せた様子を示す分解立体図である。
【考案を実施するための形態】
【００１１】
以下に図面を参照しながら本考案を実施するための最良の形態について詳細に説明する。
【実施例】
【００１２】
図１、２、３に示すように、本考案拡充式モバイル電源装置は、電源制御モジュール１、及び１個或いは１個以上の単一のバッテリーユニット２、３、４、５からなる。
【００１３】
図２に示すように、電源制御モジュール１の殼体１１内には、回路板１２を設置する。
【００１４】
該回路板１２上には、充電制御回路１２１、電源昇／降圧転換回路１２２、電源管理回路１２３、スイッチボタン１２４、作動状態インジケーターユニット１２５、バッテリーユニットに接続する第一接続ポート１２６、電源入力ポート１２７、電源出力ポート１２８を設置する。
【００１５】
該殼体１１のバッテリーユニットに相対する面には、定位孔１３及び係合孔１４を設置する。
【００１６】
該電源制御モジュール１の電源入力ポート１２７と充電制御回路１２１とは電気的に接続し、充電制御回路１２１、昇／降圧転換回路１２２、電源管理回路１２３間は、回路接続を構成する。
【００１７】
電源管理回路１２３とスイッチボタン１２４及び作動状態インジケーターユニット１２５とは電気的接続を構成し、電源昇／降圧転換回路１２２と電源出力ポート１２８、第一接続ポート１２６とは電気的接続を構成する。
【００１８】
該回路板１２のスイッチボタン１２４、作動状態インジケーターユニット１２５、第一接続ポート１２６及び電源入力ポート１２７、電源出力ポート１２８は、該電源制御モジュール１の殼体１１外に露出し、これにより使用者は外部から接続し、押釦操作し、或いは目視することができる。
【００１９】
該電源入力ポート１２７には、アダプター(Adapter)端子を接続して直流電源を、該電源制御モジュール１中の電源出力ポート１２８に入力し、充電或いは給電が必要なポータブルデジタル機器の給電端と接続し、充電或いは給電を行う。
【００２０】
図１に示すように、該単一のバッテリーユニット２、３、４、５の上記電源制御モジュールに相対する殼体２１上には、電源制御モジュール、又は他のバッテリーユニットの下半部をスライドして収容する収容設置空間２２を設置する。
【００２１】
該単一のバッテリーユニット２には、コントローラー２３、バッテリー２４、電源制御モジュールの上記第一接続ポート又は他のバッテリーユニットの第三接続ポートに接続する第二接続ポート２５、第三接続ポート２６を備える。
【００２２】
該コントローラー２３とバッテリー２４、第二接続ポート２５及び第三接続ポート２６とは電気的に接続し、該第二接続ポート２５を上記電源制御モジュールの第一接続ポート又は他のバッテリーユニットの第三接続ポートに相対して該殼体２１の収容設置空間２２上に設置する。
【００２３】
該第三接続ポート２６は、該殼体２１の収容設置空間２２の片側の他のバッテリーユニットの第二接続ポートに相対する位置に設置する。
【００２４】
該単一のバッテリーユニット２は、該殼体２１の収容設置空間２２上に、上記電源制御モジュールの定位孔１３及び係合孔１４に相対して定位ブロック２７及び係合フック２８を設置し、また、単一のバッテリーユニット２、３、４、５の反対面には、重ね合わされる他のバッテリーユニットの該定位ブロック２７及び該係合フック２８位置に対応して定位孔２７１及び係合孔２８１を設置する。
【００２５】
図３、４に示すように、使用時には、該電源制御モジュール１を、該単一のバッテリーユニット２殼体２１の収容設置空間２２内にスライドさせて入れる。
【００２６】
これにより、該電源制御モジュール１の第一接続ポート１２６と該単一のバッテリーユニット２の収容設置空間２２上の第二接続ポート２５とは、電気的に接続する。
【００２７】
同時に、該電源制御モジュール１の定位孔１３及び係合孔１４と、該単一のバッテリーユニット２の定位ブロック１２７及び係合フック２８とは結合する。
【００２８】
図５〜７に示すように、使用時には、該電源制御モジュール１と該単一のバッテリーユニット２とを組合せた後、２個目の単一のバッテリーユニット３、３個目の単一のバッテリーユニット４、４個目の単一のバッテリーユニット５等を、それと対応する単一のバッテリーユニット２の収容設置空間内に順番にスライドして入れてセットする。
【００２９】
さらに、上下に重ねられた各バッテリーユニットの該第二接続ポート２５と該第三接続ポート２６をそれぞれ対応させて電気的に接続し、定位して係合する。
【００３０】
上記したように、本考案装置は、使用者のニーズに応じて、該単一のバッテリーユニット２、３、４、５等の数を増やすことができる。
【００３１】
さらに、図５〜７に示すようにスライド機構をバッテリーユニットの拡充或いは減少結合の定位に用いるため、電力容量の増加を達成し、或いは適当に調整後は、ポータブルデジタル装置への適時充電或いは給電のために携帯しての外出に便利である。
【００３２】
図８、１０に示すように、使用時には、別に該電源制御モジュール１の第一接続ポート１２６及び該単一のバッテリーユニット２、３、４、５の第三接続ポート２６を、該殼体１１、２１背面に設置することもできる。
【００３３】
これにより、該電源制御モジュール１と該単一のバッテリーユニット２及び他の単一のバッテリーユニット３、４、５とは、上下に重なる方式で組み合わされる。
【００３４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３６】
１  電源制御モジュール
１１  殼体
１２  回路板
１２１  充電制御回路
１２２  電源昇／降圧転換回路
１２３  電源管理回路
１２４  スイッチボタン
１２５  作動状態インジケーターユニット
１２６  第一接続ポート
１２７  電源入力ポート
１２８  電源出力ポート
１３  定位孔
１４  係合孔
２  単一のバッテリーユニット
２１  殼体
２２  収容設置空間
２３  コントローラー
２４  バッテリー
２５  第二接続ポート
２６  第三接続ポート
２７  定位ブロック
２８  係合フック
２７１  定位孔
２８１  係合孔
３  単一のバッテリーユニット
４  単一のバッテリーユニット
５  単一のバッテリーユニット
【図１】
0003176456.tif 000003
【図２】
0003176456.tif 000004
【図３】
0003176456.tif 000005
【図４】
0003176456.tif 000006
【図５】
0003176456.tif 000007
【図６】
0003176456.tif 000008
【図７】
0003176456.tif 000009
【図８】
0003176456.tif 000010
【図９】
0003176456.tif 000011
【図１０】
0003176456.tif 000012